(57)【要約】【課題】支持部に対して記録ヘッドを効率よく退避させる画像記録装置を提供する。【解決手段】記録媒体を支持する支持部と、支持された前記記録媒体に対して機能液を液滴として吐出する記録ヘッドと、前記記録ヘッドを、前記支持部に対して対向する対向領域と前記対向領域以外の非対向領域に移動可能なヘッド移動部と、前記記録媒体に対して前記液滴を吐出する吐出動作以外のときは、前記記録ヘッドを前記非対向領域に移動させる制御部と、を備えた。【選択図】図２
2013226701.tif 000002
【特許請求の範囲】
【請求項１】
記録媒体を支持する支持部と、
支持された前記記録媒体に対して機能液を液滴として吐出する記録ヘッドと、
前記記録ヘッドを、前記支持部に対して対向する対向領域と前記対向領域以外の非対向領域に移動可能なヘッド移動部と、
前記記録媒体に対して前記液滴を吐出する吐出動作以外のときは、前記記録ヘッドを前記非対向領域に移動させる制御部と、を備えたことを特徴とする画像記録装置。
【請求項２】
請求項１に記載の画像記録装置において、
前記記録ヘッドのノズル面の状態を検出するノズル検出部を備え、
前記制御部は、
検出された前記ノズル面の状態に基づいて、前記記録ヘッドを前記非対向領域に移動させることを特徴とする画像記録装置。
【請求項３】
請求項１または請求項２に記載の画像記録装置において、
前記記録媒体上に形成された画像の状態を検出する画像検出部を備え、
前記制御部は、
検出された前記画像の状態に基づいて、前記記録ヘッドを前記非対向領域に移動させることを特徴とする画像記録装置。
【請求項４】
請求項１から請求項３のいずれか一項に記載する画像記録装置において、
前記ヘッド移動部は、
前記支持部に対する前記記録ヘッドの高さを維持した状態で、前記記録ヘッドを前記非対向領域に移動させることを特徴とする画像記録装置。
【請求項５】
請求項１から請求項４のいずれか一項に記載する画像記録装置において、
前記非対向領域は、前記記録ヘッドのノズルから吐出されたあるいは漏れた前記機能液が重力方向に落下した際に、前記支持部に付着しない位置であることを特徴とする画像記録装置。
【請求項６】
請求項１から請求項５のいずれか一項に記載の画像記録装置において、
前記記録媒体の搬送方向における前記記録ヘッドの下流側に前記機能液を硬化させる硬化部を備え、
前記制御部は、
前記記録媒体の搬送を停止する際に、前記記録媒体に対して塗布された前記機能液を硬化させた後に、前記記録媒体の搬送を停止させることを特徴とする画像記録装置。
【発明の詳細な説明】
【技術分野】
【０００１】
本発明は、画像記録装置に関する。
【背景技術】
【０００２】
従来、回転するドラム上に吸着されて走行する記録媒体に対し、記録ヘッドがインクを吐出して画像を形成する画像記録装置が知られている。当該画像記録装置では、記録媒体の異常走行を検出する検出センサーを備え、記録媒体の走行が異常であると検出した場合に、記録媒体から上方向に遠ざかるように記録ヘッドを退避させる機構を備えている（例えば、特許文献１参照）。
【先行技術文献】
【特許文献】
【０００３】
【特許文献１】特開２００５−３１３５１９号公報
【発明の概要】
【発明が解決しようとする課題】
【０００４】
しかしながら、上記の画像記録装置では、例えば、記録ヘッドの不具合や記録ヘッドのノズル面の汚れ等によってインクが垂れる場合に対して退避することができないので、記録媒体やドラム上にインクが垂れてしまい、画像の品質が低下してしまう、という課題があった。
【課題を解決するための手段】
【０００５】
本発明は、上述の課題の少なくとも一部を解決するためになされたものであり、以下の形態または適用例として実現することが可能である。
【０００６】
［適用例１］本適用例にかかる画像記録装置は、記録媒体を支持する支持部と、支持された前記記録媒体に対して機能液を液滴として吐出する記録ヘッドと、前記記録ヘッドを、前記支持部に対して対向する対向領域と前記対向領域以外の非対向領域に移動可能なヘッド移動部と、前記記録媒体に対して前記液滴を吐出する吐出動作以外のときは、前記記録ヘッドを前記非対向領域に移動させる制御部と、を備えたことを特徴とする。
【０００７】
この構成によれば、描画動作以外のとき、記録ヘッドは非対向領域に退避される。すなわち、支持部上には記録ヘッドが存在しない状態となる。このため、記録ヘッドから垂れ落ちた機能液が記録媒体に付着することがないので、記録媒体の汚れ発生を防止することができる。また、垂れ落ちた機能液が支持部に付着することがないので、支持部のクリーニング頻度を低減させることができる。
【０００８】
［適用例２］上記適用例にかかる画像記録装置は、前記記録ヘッドのノズル面の状態を検出するノズル検出部を備え、前記制御部は、検出された前記ノズル面の状態に基づいて、前記記録ヘッドを前記非対向領域に移動させることを特徴とする。
【０００９】
この構成によれば、例えば、ノズル面に機能液の溜りや汚れを検出した場合には、記録ヘッドを支持部から退避させ、記録媒体や支持部の汚れ発生を防止させることができる。
【００１０】
［適用例３］上記適用例にかかる画像記録装置は、前記記録媒体上に形成された画像の状態を検出する画像検出部を備え、前記制御部は、検出された前記画像の状態に基づいて、前記記録ヘッドを前記非対向領域に移動させることを特徴とする。
【００１１】
この構成によれば、例えば、画像に汚れが検出した場合には、速やかに記録ヘッドを支持部から退避させ、記録媒体や支持部における汚れ拡大を防止させることができる。
【００１２】
［適用例４］上記適用例にかかる画像記録装置の前記ヘッド移動部は、前記支持部に対する前記記録ヘッドの高さを維持した状態で、前記記録ヘッドを前記非対向領域に移動させることを特徴とする。
【００１３】
この構成によれば、記録ヘッドを移動させる際、支持部に対して記録ヘッドの高さが変わらないので、例えば、記録ヘッドを非対向領域に移動させた後、再び、対向領域に移動させた場合であってもプラテンギャップが変わらない。従って、記録ヘッドを移動させる都度プラテンギャップの設定作業が省かれ、作業効率を向上させることができる。
【００１４】
［適用例５］上記適用例にかかる画像記録装置における前記非対向領域は、前記記録ヘッドのノズルから吐出されたあるいは漏れた前記機能液が重力方向に落下した際に、前記支持部に付着しない位置であることを特徴とする。
【００１５】
この構成によれば、支持部に対して機能液が付着しないため、確実に支持部の機能液による汚れ防止することができる。
【００１６】
［適用例６］上記適用例にかかる画像記録装置は、前記記録媒体の搬送方向における前記記録ヘッドの下流側に前記機能液を硬化させる硬化部を備え、前記制御部は、前記記録媒体の搬送を停止する際に、前記記録媒体に対して塗布された前記機能液を硬化させた後に、前記記録媒体の搬送を停止させることを特徴とする。
【００１７】
この構成によれば、記録媒体上に塗布された機能液は硬化処理されるので、滲みの広がりを防ぎ、画像品質の低下を防止することができる。
【図面の簡単な説明】
【００１８】
【図１】画像記録装置の構成を示す概略図。
【図２】ヘッド移動部の構成を示す概略図。
【図３】画像記録装置の制御部の構成を示すブロック図。
【発明を実施するための形態】
【００１９】
以下、本発明の実施形態について、図面を参照して説明する。なお、以下の各図においては、各層や各部材を認識可能な程度の大きさにするため、各層や各部材の尺度を実際とは異ならせて示している。
【００２０】
まず、画像記録装置の構成について説明する。画像記録装置は、記録媒体を支持する支持部と、支持された記録媒体に対して機能液を液滴として吐出する記録ヘッドと、記録ヘッドを、支持部に対して対向する対向領域と対向領域以外の非対向領域に移動可能なヘッド移動部と、記録媒体に対して液滴を吐出する吐出動作以外のときは、記録ヘッドを非対向領域に移動させる制御部を備えたものである。以下、具体的に説明する。
【００２１】
図１は、画像記録装置の構成を示す概略図であり、図２は、ヘッド移動部の構成を示す概略図である。図１に示すように、画像記録装置１では、その両端が繰出軸２０および巻取軸４０に記録媒体としてのロール状に巻き付けられた１枚のシートＳ（ウェブ）が、繰出軸２０と巻取軸４０の間に張架されており、シートＳはこうして張架された経路Ｐｃに沿って、繰出軸２０から巻取軸４０へと搬送される。そして、画像記録装置１は、この搬送経路Ｐｃに沿って搬送されるシートＳに対して機能液を吐出してシートＳ上に画像を記録（形成）するように構成されている。なお、シートＳは、特に限定されない。紙系やフィルム系等を適用することができる。例えば、紙系には上質紙、キャスト紙、アート紙、コート紙等があり、フィルム系には合成紙、ＰＥＴ（Polyethylene terephthalate）、ＰＰ（Polypropylene）等がある。
【００２２】
画像記録装置１は、概略的な構成として、繰出軸２０からシートＳを繰り出す繰出部２と、繰出部２から繰り出されたシートＳに画像を記録するプロセス部３と、プロセス部３で画像の記録されたシートＳを巻取軸４０に巻き取る巻取部４とから構成されている。そして、プロセス部３には、ヘッド移動部１０が含まれている。なお、以下の説明では、シートＳの両面のうち、画像が記録される面を表面と称する一方、その逆側の面を裏面と称する場合がある。
【００２３】
繰出部２は、シートＳの端を巻き付けた繰出軸２０と、繰出軸２０から引き出されたシートＳを巻き掛ける従動ローラー２１とを有する。繰出軸２０は、シートＳの表面を外側に向けた状態で、シートＳの端を巻き付けて支持する。そして、繰出軸２０が図１の時計回りに回転することで、繰出軸２０に巻き付けられたシートＳが従動ローラー２１を経由してプロセス部３へと繰り出される。ちなみに、シートＳは、繰出軸２０に着脱自在な芯管（図示省略）を介して繰出軸２０に巻き付けられている。したがって、繰出軸２０のシートＳが使い切られた際には、ロール状のシートＳが巻き付けられた新たな芯管を繰出軸２０に装着して、繰出軸２０のシートＳを取り換えることが可能となっている。
【００２４】
プロセス部３は、繰出部２から繰り出されたシートＳを支持部としてのプラテンドラム３０で支持しつつ、プラテンドラム３０の外周面に沿って配置されたヘッドユニット１５に配置された記録ヘッド５１等により適宜処理を行わせ、シートＳに画像を記録するものである。
【００２５】
プラテンドラム３０は、図示しない支持機構によりドラム軸３０ｓを中心にして回転自在に支持された円筒形状のドラムであり、繰出部２から巻取部４へと搬送されるシートＳを裏面側から巻き掛けられる。このプラテンドラム３０は、シートＳとの間の摩擦力を受けてシートＳの搬送方向Ｄｓに従動回転しつつ、シートＳを裏面側から支持するものである。ちなみに、プロセス部３では、プラテンドラム３０への巻き掛け部の両側でシートＳを折り返す従動ローラー３３、３４が設けられている。これらのうち従動ローラー３３は、従動ローラー２１とプラテンドラム３０の間でシートＳの表面を巻き掛けて、シートＳを折り返す。一方、従動ローラー３４は、プラテンドラム３０と従動ローラー４１の間でシートＳの表面を巻き掛けて、シートＳを折り返す。このように、プラテンドラム３０に対して搬送方向Ｄｓの上・下流側それぞれでシートＳを折り返すことで、プラテンドラム３０へのシートＳの巻掛部分Ｒａの長さを長く確保することができる。
【００２６】
プロセス部３は、ヘッドユニット１５を備え、ヘッドユニット１５には記録ヘッド５１が配置されている。本実施形態では、互いに異なる色に対応した複数の記録ヘッド５１が設けられ、例えば、イエロー、シアン、マゼンタおよびブラックに対応する４個の記録ヘッド５１が設けられている。各記録ヘッド５１は、プラテンドラム３０に巻き掛けられたシートＳの表面に対して若干のクリアランス（プラテンギャップ）を空けて対向しており、対応する色の機能液をノズルからインクジェット方式で吐出する。そして、搬送方向Ｄｓへ搬送されるシートＳに対して各記録ヘッド５１が機能液を吐出することにより、シートＳの表面にカラー画像が形成される。
【００２７】
なお、本実施形態では、機能液として、紫外線（光）を照射することで硬化するＵＶ（ultraviolet）インク（光硬化性インク）を用いる。そこで、プロセス部３のヘッドユニット１５には、ＵＶインクを仮硬化させてシートＳに定着させるために、第１ＵＶ光源６１（光照射部）が設けられている。複数の記録ヘッド５１の各間には、仮硬化用の第１ＵＶ光源６１が配置されている。つまり、第１ＵＶ光源６１は弱い紫外線を照射することで、ＵＶインクの形状が崩れない程度にＵＶインクを硬化（仮硬化）させるものである。一方、複数の記録ヘッド５１（ヘッドユニット１５）に対して搬送方向Ｄｓの下流側には、本硬化用の硬化部としての第２ＵＶ光源６２が設けられている。つまり、第２ＵＶ光源６２は、第１ＵＶ光源６１より強い紫外線を照射することで、ＵＶインクを完全に硬化（本硬化）させるものである。こうして仮硬化・本硬化を実行することで、複数の記録ヘッド５１が形成したカラー画像をシートＳ表面に定着させることができる。
【００２８】
また、プロセス部３は、ヘッド移動部１０を備えている。ヘッド移動部１０は、記録ヘッド５１を、プラテンドラム３０に対して対向する対向領域ＡＲ１（図２に記載）と対向領域ＡＲ１以外の非対向領域ＡＲ２（図２に記載）に移動可能にするものである。換言すれば、記録ヘッド５１やシートＳ上に形成された画像の状況に応じて、対向領域ＡＲ１から非対向領域ＡＲ２へ記録ヘッド５１を退避させるものである。また、ヘッド移動部１０は、プラテンドラム３０に対する記録ヘッド５１の高さを維持した状態で、記録ヘッド５１の移動を可能にしている。なお、本実施形態のヘッド移動部１０は、記録ヘッド５１が搭載されたキャリッジ１８を含むヘッドユニット１５を移動させるものである。以下、具体的に説明する。
【００２９】
図２は、ヘッド移動部の構成を示す構成図である。ヘッド移動部１０は、図示しない支持機構によって支持されたガイドレール７０と、キャリッジ位置検出装置７１を有している。ガイドレール７０は、Ｙ軸方向に沿って延在している。すなわち、ガイドレール７０は、ドラム軸３０ｓに対して平行に配置されている。キャリッジ１８は、ガイドレール７０に支持されている。そして、キャリッジ１８は、ガイドレール７０によってＹ軸方向に沿って案内される。キャリッジ位置検出装置７１は、ガイドレール７０とキャリッジ１８との間に設けられており、Ｙ軸方向に延在している。キャリッジ位置検出装置７１は、キャリッジ１８のＹ軸方向における位置を検出する。
【００３０】
キャリッジ１８は、図示しない移動機構及び動力源によって、Ｙ軸方向に往復移動可能に構成されている。移動機構としては、例えば、ボールねじとボールナットとを組み合わせた機構や、リニアガイド機構などが採用され得る。また、本実施形態では、キャリッジ１８をＹ軸方向に沿って移動させるための動力源として、モーターが採用されている。モーターとしては、ステッピングモーター、サーボモーター、リニアモーターなどの種々のモーターが採用され得る。当該モーターからの動力は、移動機構を介してキャリッジ１８に伝達される。これにより、キャリッジ１８は、ガイドレール７０に沿って、すなわちＹ軸方向に沿って往復移動することができる。すなわち、記録ヘッド５１を含むヘッドユニット１５をＹ軸方向に沿って往復移動させることができる。ここで、図２（ａ）に示すように、記録ヘッド５１（ヘッドユニット１５）は、記録ヘッド５１がプラテンドラム３０に対向する対向領域ＡＲ１と、対向領域ＡＲ１以外の非対向領域ＡＲ２に移動可能となる。さらに、ガイドレール７０は、ドラム軸３０ｓと並列して配置されているので、記録ヘッド５１の高さ方向の位置を一定にした状態でＹ軸方向に移動することができる。すなわち、記録ヘッド５１のノズル面５１ａとプラテンドラム３０のプラテン面３０ａとの距離（プラテンギャップ）を一定に保持した状態で記録ヘッド５１が移動される構成になっている。非対向領域ＡＲ２には、記録ヘッド５１を保守する保守ユニット８０が設置されている。保守ユニット８０は、例えば、キャッピングユニットや、フラッシングユニット、ワイピングユニット等を含むものである。
【００３１】
画像記録装置１には、記録ヘッド５１のノズル面５１ａの状態を検出するノズル検出部９０を備えている。ノズル検出部９０は、例えば、ＣＣＤやＣＭＯＳ等のイメージセンサーである。本実施形態では、図２に示すように、ノズル検出部９０が、ノズル面５１ａを観察可能な記録ヘッド５１の近傍に配置されている。さらに、シートＳ上に形成された画像の状態を検出する画像検出部９１を備えている。画像検出部９１は、例えば、ＣＣＤやＣＭＯＳ等のイメージセンサーである。本実施形態では、図１に示すように、画像検出部９１が、シートＳの搬送方向におけるヘッドユニット１５の下流側に配置されている。
【００３２】
巻取部４は、シートＳの端を巻き付けた巻取軸４０の他に、巻取軸４０と従動ローラー３４の間でシートＳを裏面側から巻き掛ける従動ローラー３２と従動ローラー４１を有する。巻取軸４０は、シートＳの表面を外側に向けた状態で、シートＳの端を巻き取って支持する。つまり、巻取軸４０が図１の時計回りに回転すると、搬送されてきたシートＳが従動ローラー４１を経由して巻取軸４０に巻き取られる。ちなみに、シートＳは、巻取軸４０に着脱自在な芯管（図示省略）を介して巻取軸４０に巻き取られる。したがって、巻取軸４０に巻き取られたシートＳが満杯になった際には、芯管ごとシートＳを取り外すことが可能となっている。
【００３３】
次に、画像記録装置１の制御構成について説明する。図３は、画像記録装置の制御構成を示すブロック図である。図３に示すように、画像記録装置１は、上記の各構成部等を制御する制御部２００を有している。制御部２００は、ＣＰＵ（Central Processing Unit）２１０と、駆動制御部２２０と、メモリー部２３０と、を有している。駆動制御部２２０及びメモリー部２３０は、バス２５０を介してＣＰＵ２１０に接続されている。
【００３４】
記録ヘッド５１、第１ＵＶ光源６１、第２ＵＶ光源６２、移動モーターＭ１０、繰出モーターＭ２０、巻取モーターＭ４０及びステアリングユニット７は、入出力インターフェイス２６０とバス２５０とを介して制御部２００に接続されている。また、ドラムエンコーダーＥ３０、エッジセンサーＳｅ、ノズル検出部９０及び画像検出部９１も入出力インターフェイス２６０とバス２５０とを介して制御部２００に接続されている。
【００３５】
ＣＰＵ２１０は、プロセッサーとして各種の演算処理を行う。駆動制御部２２０は、各部材等の駆動を制御する。メモリー部２３０は、ＲＡＭ（Random Access Memory）や、ＲＯＭ（Read Only Memory）などを含んでいる。メモリー部２３０には、画像記録装置１における動作の制御手順が記述されたプログラムソフト２３１を記憶する領域や、各種のデータを一時的に展開する領域であるデータ展開部などが設定されている。データ展開部に展開されるデータとしては、例えば、シートＳに対して描画すべきパターンが示される描画データや、描画処理等のプログラムデータなどが挙げられる。
【００３６】
駆動制御部２２０は、エッジセンサー制御部２２１、ヘッド制御部２２２、ドラムエンコーダー制御部２２３、ＵＶ光源制御部２２４、移動モーター制御部２２５、搬送モーター制御部２２６、ステアリング制御部２２７、ノズル検出制御部２２８、画像検出制御部２２９等を有している。そして、制御部２００は、メモリー部２３０から読み出したプログラムソフト２３１に基づいて、画像記録装置１の各部材等に対して駆動制御を行なう。
【００３７】
制御部２００は、カラー画像を形成する各記録ヘッド５１のインク吐出タイミングを、シートＳの搬送に応じて制御する。具体的には、このインク吐出タイミングの制御は、プラテンドラム３０の回転軸に取り付けられて、プラテンドラム３０の回転位置を検出するドラムエンコーダーＥ３０の出力（検出値）に基づいて実行される。つまり、プラテンドラム３０はシートＳの搬送に伴って従動回転するため、プラテンドラム３０の回転位置を検出するドラムエンコーダーＥ３０の出力を参照すれば、シートＳの搬送位置を把握することができる。そこで、制御部２００は、ドラムエンコーダーＥ３０の出力からｐｔｓ（print timing signal）信号を生成し、このｐｔｓ信号に基づいて各記録ヘッド５１のインク吐出タイミングを制御することで、各記録ヘッド５１が吐出したＵＶインクを搬送されるシートＳの目標位置に着弾させて、カラー画像を形成する。
【００３８】
また、制御部２００は、図１を用いて詳述したシートＳの搬送を制御する機能を司る。つまり、シート搬送系を構成する部材のうち、繰出軸２０および巻取軸４０それぞれには繰出モーターＭ２０、巻取モーターＭ４０が接続されている。そして、制御部２００はこれらの繰出モーターＭ２０、巻取モーターＭ４０を回転させつつ、各モーターの速度やトルクを制御して、シートＳの搬送を制御する。
【００３９】
この際、制御部２００は、繰出軸２０からプラテンドラム３０側へ供給されるシートＳの幅方向（Ｙ軸方向）の位置を調整しつつ、シートＳの繰り出しを行う。つまり、画像記録装置１には、繰出軸２０および従動ローラー２１それぞれを軸方向（言い換えればシートＳの幅方向）に変位させるステアリングユニット７が設けられている。また、従動ローラー２１と従動ローラー３１の間にはシートＳの幅方向への端を検出するエッジセンサーＳｅが配置されている。このエッジセンサーＳｅは、例えば超音波センサー等の距離センサーで構成することができる。そして、制御部２００は、エッジセンサーＳｅの検出結果に基づいて、ステアリングユニット７をフィードバック制御して、シートＳの幅方向への位置を調整する。これによって、シートＳの幅方向への位置が適切化されて、シートＳの蛇行等の搬送不良が抑制される。
【００４０】
次に、画像記録装置１における記録ヘッド５１の移動制御方法（記録ヘッド５１の退避制御方法）について説明する。
【００４１】
まず、第１の制御方法として、シートＳに対してＵＶインクを吐出していない場合の制御方法について説明する。この場合、制御部２００では、シートＳに対して液滴を吐出する吐出動作以外のときは、記録ヘッド５１を非対向領域ＡＲ２に移動させる。具体的には、シートＳに対して描画を実施する場合には、図２（ａ）に示すように、移動モーターＭ１０を駆動させ、記録ヘッド５１をプラテンドラム３０のプラテン面３０ａと対向する対向領域ＡＲ１に移動させる。その後、描画が終了した場合には、図２（ｂ）に示すように、移動モーターＭ１０を駆動させ、記録ヘッド５１を非対向領域ＡＲ２に移動させる。本実施形態では、プラテンドラム３０のプラテン面３０ａに対する記録ヘッド５１の高さを維持した状態で、記録ヘッド５１を移動させる。ここで、画像記録装置１における非対向領域ＡＲ２は、記録ヘッド５１のノズルから吐出されたあるいは漏れた機能液が重力方向に落下した際に、プラテンドラム３０に付着しない位置として設定される。
【００４２】
次に、第２の制御方法として、ノズル面５１ａの状態に応じて記録ヘッド５１を移動させる制御方法について説明する。この場合、制御部２００では、ノズル検出部９０を駆動させ、記録ヘッド５１のノズル面５１ａの状態を検出する。そして、検出されたノズル面５１ａの状態に基づいて、記録ヘッド５１を非対向領域ＡＲ２に移動させる（図２（ｂ）参照）。ノズル面５１ａの状態に基づく判断方法としては、例えば、ノズル面５１ａにインク付着や汚れや液だまりが検出された場合に、移動モーターＭ１０を駆動させ、記録ヘッド５１を非対向領域ＡＲ２に移動させる。なお、本実施形態では、対向領域ＡＲ１に配置された記録ヘッド５１のノズル面５１ａを検出するように構成されている。すなわち、描画を実施している記録ヘッド５１のノズル面５１ａを検出している。但し、この構成に限定されず、例えば、非対向領域ＡＲ２にノズル検出部９０を配置してもよい。また、検出されたノズル面５１ａの状態に基づいて、記録ヘッド５１を非対向領域ＡＲ２に移動させるとともに、保守ユニット８０を駆動させ、記録ヘッド５１の保守を実施してもよい。
【００４３】
次に、第３の制御方法として、画像の状態に応じて記録ヘッド５１を移動させる制御方法について説明する。この場合、制御部２００では、画像検出部９１を駆動させ、シートＳ上に形成された画像の状態を検出する。そして、検出された画像の状態に基づいて、記録ヘッド５１を非対向領域ＡＲ２に移動させる（図２（ｂ）参照）。画像の状態に基づく判断方法としては、例えば、ＵＶインクの付着による汚れや滲み不具合による画質不良が検出された場合に、移動モーターＭ１０を駆動させ、記録ヘッド５１を非対向領域ＡＲ２に移動させる。
【００４４】
なお、上記の記録ヘッド５１の移動制御方法において、シートＳに対して描画している最中に、記録ヘッド５１を対向領域ＡＲ１から非対向領域ＡＲ２に移動させる場合には、移動モーターＭ１０を駆動させ、記録ヘッド５１を対向領域ＡＲ１から非対向領域ＡＲ２に移動させるとともに、繰出モーターＭ２０及び巻取モーターＭ４０を駆動継続させる。すなわち、記録ヘッド５１の退避と同時期に、シートＳの搬送を停止させない。そして、第２ＵＶ光源６２を駆動させ、シートＳに対して塗布されたＵＶインクに対して紫外線を照射して、ＵＶインクを硬化させる。その後、繰出モーターＭ２０及び巻取モーターＭ４０及び第２ＵＶ光源６２を停止させる。このようにすれば、未硬化部分のＵＶインクが硬化されるので、ＵＶインクの滲み拡大を防止することができる。また、保守性を向上させることができる。
【００４５】
また、上記では、各第１〜第３の制御方法等について説明したが、これらの制御方法を適宜組み合わせて適用してもよい。
【００４６】
以上、上記実施形態によれば、以下の効果を得ることができる。
【００４７】
描画動作以外のとき、また、ノズル面５１ａや画像の状態に基づいて、記録ヘッド５１が非対向領域ＡＲ２に退避される。すなわち、プラテンドラム３０上には記録ヘッド５１が存在しない状態となる。このため、記録ヘッド５１から垂れ落ちたＵＶインクがシートＳに付着することがないので、シートＳの汚れ発生を防止することができる。また、垂れ落ちたＵＶインクがプラテンドラム３０上に付着することがないので、プラテンドラム３０のクリーニング頻度を低減させることができる。
【００４８】
なお、本発明は上述した実施形態に限定されず、上述した実施形態に種々の変更や改良などを加えることが可能である。変形例を以下に述べる。
【００４９】
（変形例１）本実施形態では、シートＳを支持する支持部としてのプラテンドラム３０を備えた画像記録装置１について説明したが、この構成に限定されない。プラテンドラム３０に替えて平坦面を有する支持部であってもよい。このようにしても、上記同様の効果を得ることができる。
【００５０】
（変形例２）上記実施形態では、記録媒体としてロール状に巻き付けられた１枚のシートＳ（ウェブ）の場合について説明したが、これに限定されない。例えば、毎葉式の記録媒体であってもよい。このようにしても、上記同様の効果を得ることができる。
【００５１】
（変形例３）上記本実施形態では、ノズル検出部９０と画像検出部９１とを備えたが、これに限定されず、適宜一方を選択して配置してもよいし、両方を省略してもよい。このようにしても、記録ヘッド５１が非対向領域ＡＲ２に退避されるので、ＵＶインクの垂れによるシートＳの汚れ発生を防止することができる。
【符号の説明】
【００５２】
１…画像記録装置、１０…ヘッド移動部、１５…ヘッドユニット、１８…キャリッジ、３０…支持部としてのプラテンドラム、３０ａ…プラテン面、３０ｓ…ドラム軸、５１…記録ヘッド、５１ａ…ノズル面、６１…第１ＵＶ光源、６２…硬化部としての第２ＵＶ光源、７０…ガイドレール、９０…ノズル検出部、９１…画像検出部、２００…制御部、ＡＲ１…対向領域、ＡＲ２…非対向領域。
【図１】
2013226701.tif 000003
【図２】
2013226701.tif 000004
【図３】
2013226701.tif 000005